(57)【要約】【課題】指輪あるいはペンダントでは、装飾部はそれぞれリングや鎖に固定されており、互換性はなく、一つの装飾部を指輪とペンダントの両方で楽しむことはできない。本発明は、指輪としても、ペンダントとしても使用できる指輪ペンダント両用ロケットを提供する。【解決手段】装飾部であるロケットの上下端中央に輪形部を設け、リングの一部を開口し、一方の開口端に、輪形部と、内部にナットを組み込んだ輪形部を、間隔を空けて平行に固着し、もう一方の開口端に突起部を設ける。以上の構造よりなる指輪ペンダント両用ロケット。【選択図】図２
2014166210.tif 000002
【特許請求の範囲】
【請求項１】
上下端中央に輪形部を設けたロケットと、一部を開口した環状体であり、一方の開口端に輪形部と、内部にナットを組み込んだ輪形部を、間隔を空けて平行に設け、もう一方の開口端に突起部を設けたリングと、このリングにロケットを固定するためのスクリューピン。
【請求項２】
請求項１のリングの突起部を、請求項１のロケットの一方の輪形部に通し、請求項１のロケットのもう一方の輪形部を、請求項１のリングの二つの輪形部の間に挟むように設置し、請求項１のスクリューピンをそれらの輪形部に通してナット部に嵌め、ロケットをリングに装着して指輪とした様態。
【発明の詳細な説明】
【技術分野】
【０００１】
本発明は、指輪としても、ペンダントとしても使用できる、指輪ペンダント両用ロケットに関するものである。
【背景技術】
【０００２】
従来、指輪およびペンダントは、宝石等から成る様々な大きさの装飾部を有しており、これら装飾部は、指輪ではリングの台座に固定され、ペンダントでは輪形部によって鎖に付設されている。
一般的には、指輪あるいはペンダントでは、装飾部はそれぞれリングや鎖に固定されており、互換性はなく、一つの装飾部を指輪でもペンダントでも両方で楽しむことはできないが、これまでに、ペンダント兼用指輪の考案例として、特殊な形状の装飾部を、特殊な形状のリングに取り付ける方法（特許文献１、特許文献２および特許文献３参照）や、リングの腕部が折れ曲がる方式（特許文献４参照）がある。
【先行技術文献】
【特許文献】
【０００３】
【特許文献１】特開平８−１８２５１８公報
【特許文献２】特開２０１０−６８９１２公報
【特許文献３】実開平６−３１５１０公報
【特許文献４】実開平８−１３５１１公報
【発明の概要】
【発明が解決しようとする課題】
【０００４】
特許文献１、特許文献２および特許文献３のようなペンダント兼用指輪は、装飾部自体や土台となるリングの構造が複雑であり、なおかつ、それらのデザインも限定される。また、特許文献４のような腕部回転式リングは、回転部に負荷が掛り、故障し易いという問題点があった。
本発明は以上の問題点を解決するものである。
【課題を解決するための手段】
【０００５】
装飾部であるロケットの上下端中央に輪形部を設け、リングの一部を開口し、一方の開口端に、輪形部と、内部にナットを組み込んだ輪形部を、間隔を空けて平行に設け、もう一方の開口端に突起部を設ける。
以上の構造よりなる指輪ペンダント両用ロケット。
【発明の効果】
【０００６】
本発明によれば、構造と作成が容易で、かつ簡単に指輪またはペンダントに変換することができ、しかも、強度、可用性ならびに装飾性の高い指輪ペンダント両用ロケットを提供することができる。
【図面の簡単な説明】
【０００７】
【図１】本発明の、ロケットの四方図である。（ａ）上面図、（ｂ）裏面図、（ｃ）横側面図、（ｄ）縦側面図
【図２】本発明の、（ａ）リングの斜視図、ならびに（ｂ）図１のロケットのリングへの装着方法を示す説明図である。
【図３】図１のロケットを指輪とした使用状態を示す四方図である。（ａ）正面図、（ｂ）上面図、（ｃ）左側面図、（ｄ）右側面図
【図４】図１のロケットをペンダントとした使用状態を示す上面図である。
【図５】本発明の、他の適用例を示す図である。（ａ）ペンダントとした上面図、（ｂ）ロケットの横側面図、（ｃ）ロケットの裏面図、（ｄ）指輪とした斜視図
【図６】本発明の、他の適用例を示す図である。（ａ）ペンダントとした上面図、（ｂ）ロケットの裏面図、（ｃ）指輪とした正面図、（ｄ）指輪とした右側面図
【図７】本発明の、他の適用例を示す図である。（ａ）ペンダントとした斜視図、（ｂ）指輪とした斜視図
【発明を実施するための形態】
【０００８】
以下、本発明の実施の形態を図面に基づいて説明する。ロケットを示す図１、リングの構造とロケットのリングへの装着方法を示す図２に基づいて説明する。
（イ）ロケット１の上下端中央にそれぞれ輪形部３と輪形部４を設ける。
（ロ）ロケット１のアダプターとなるリング５は、一部を開口した環状体である。
（ハ）リング５の一方の開口端には、輪形部６とナットを組み込んだ輪形部７を、平行に間隔を空けて揃え、輪形部６と輪形部７の穴部がリングとはほぼ垂直になるように設ける。
（ニ）リング５のもう一方の開口端に、突起具８をリングとはほぼ垂直に設ける。
本発明は以上のような構造である。
【実施例】
【０００９】
本発明の実施例を示す指輪ペンダント両用ロケットの図面に基づいて説明する。図１、図２、ロケットをリングに装着した場合の図３、ロケットをペンダントの鎖に付設した場合の図４、その他の適用例を示す図５、図６と図７に基づいて説明する。
【００１０】
宝石部２等を含むロケット１を指輪として使用する場合は、リング５の突起具８をロケット１の輪形部３に通し、次にロケット１の輪形部４をリング５の輪形部６とナット入り輪形部７の間に挟み、スクリューピン９を、輪形部６、４を通すように輪形部７に嵌め込んで、ロケット１をリング５に装着する。
【００１１】
ロケット１の構造によっては、上記とは反対に、リング５の突起具８を、ロケット１の輪形部４に通し、次に、ロケット１の輪形部３を、リング５の輪形部６とナット入り輪形部７の間に挟み、スクリューピン９で固定してもよい。
【００１２】
ロケット１をペンダントとして使用する場合は、ロケット１の輪形部３に、鎖１０を通したバチカン１１を付けた引き輪１２等を嵌めるか、ロケット１の輪形部３に直接鎖１０を通すか、ロケット１に別の輪形部１４を付設して、鎖１０を通して首に掛ける。
【００１３】
さらに、ロケット１の下部輪形部４に、別のペンダント１３を、鎖１０と引き輪１２を使って連結して、複数のペンダントを、一つのアクセサリーとして使用することもできる。
【産業上の利用可能性】
【００１４】
本発明により、ロケットの上下端中央に輪形部を設けるだけで、指輪兼ペンダントとして使用できることが可能になり、アクセサリーの可用性が高まり、消費者の選択肢が広がる。
【符号の説明】
【００１５】
１  ロケット土台部、２  宝石部、３  ロケット上部輪形部、４  ロケット下部輪形部、５  リング腕部、６  リング輪形部、７  ナット入り輪形部、８  突起具、９  スクリューピン、１０  鎖、１１  バチカン、１２  引き輪、１３  別ペンダント、１４  輪形部
【図１】
2014166210.tif 000003
【図２】
2014166210.tif 000004
【図３】
2014166210.tif 000005
【図４】
2014166210.tif 000006
【図５】
2014166210.tif 000007
【図６】
2014166210.tif 000008
【図７】
2014166210.tif 000009